(57)【要約】【課題】レンズ鏡筒の光軸方向及び径方向の小型化を実現する。【解決手段】光学レンズの少なくとも一部が光軸方向に出入り可能に形成された開口５０ａと、開口５０ａに侵入する閉じ位置と開口５０ａから退避する開き位置との間を移動可能に設けられた絞り羽根５３とを有し、絞り羽根５３は、開口５０ａを通過して結像平面上の有効な撮像範囲に結像する光束の開口５０ａの通過断面を有効光束範囲２２ｂとしたとき、前記閉じ位置において、有効光束範囲２２ｂの外側に開口５０ａの一部を残すように（隙間５０ｂができるように）構成され、前記開き位置において、開口５０ａの内側に光学レンズの少なくとも一部が光軸方向に出入り可能となるように構成されている。【選択図】図１１
2011138080.tif 000002
【特許請求の範囲】
【請求項１】
撮像光学系の少なくとも一部をなす光学レンズと、
前記光学レンズを保持する保持枠と、
結像平面上の有効な撮像範囲に到達する光の量を調整する光量調整装置と
を備え、
前記光量調整装置は、
前記光学レンズと光軸方向に相対的に移動可能に支持され、
前記光学レンズに入射した光束を通過させるとともに、前記光学レンズの少なくとも一部が光軸方向に出入り可能に形成された開口と、
前記開口に侵入する閉じ位置と前記開口から退避する開き位置との間を移動可能に設けられた光量調整羽根と
を有し、
前記光量調整羽根は、前記開口を通過して結像平面上の有効な撮像範囲に結像する光束の前記開口の通過断面を有効光束範囲としたとき、前記閉じ位置において、有効光束範囲の外側に前記開口の一部を残すように構成され、前記開き位置において、前記開口の内側に前記光学レンズの少なくとも一部が光軸方向に出入り可能となるように構成されている
レンズ鏡筒。
【請求項２】
請求項１に記載のレンズ鏡筒において、
前記光量調整装置は、前記開口に侵入する閉じ位置と前記開口から退避する開き位置との間を移動可能に設けられたシャッタ羽根を有し、
前記シャッタ羽根は、前記シャッタ羽根の前記閉じ位置において、前記開口の全部を閉じるように構成され、前記シャッタ羽根の前記開き位置において、前記開口の内側に前記光学レンズの少なくとも一部が光軸方向に出入り可能となるように構成されている
レンズ鏡筒。
【請求項３】
請求項１に記載のレンズ鏡筒において、
前記光学レンズは、前記光学レンズの光軸に垂直な平面上の互いに直交する２方向に移動可能に設けられており、
前記開口は、前記光学レンズの光軸に垂直な平面上の互いに直交する２方向の移動位置にかかわらず、前記光学レンズの少なくとも一部が光軸方向に出入り可能に形成されている
レンズ鏡筒。
【請求項４】
請求項１に記載のレンズ鏡筒において、
前記光量調整羽根は、
有効光束範囲の少なくとも一部を内側に含む貫通穴を有する薄板と、
前記貫通穴を覆うＮＤフィルタと
により構成されているレンズ鏡筒。
【請求項５】
撮像光学系の少なくとも一部をなす光学レンズと、
前記光学レンズを保持する保持枠と、
結像平面上の有効な撮像範囲に到達する光の量を調整する光量調整装置と
を備え、
前記光量調整装置は、
前記光学レンズと光軸方向に相対的に移動可能に支持され、
前記光学レンズに入射した光束を通過させるとともに、前記光学レンズの少なくとも一部が光軸方向に出入り可能に形成された開口と、
前記開口に侵入する閉じ位置と前記開口から退避する開き位置との間を移動可能に設けられた光量調整羽根と
を有し、
前記光量調整羽根は、前記開口を通過して結像平面上の有効な撮像範囲に結像する光束の前記開口の通過断面を有効光束範囲としたとき、前記閉じ位置において、有効光束範囲の外側に前記開口の一部を残すように構成され、前記開き位置において、前記開口の内側に前記光学レンズの少なくとも一部が光軸方向に出入り可能となるように構成されている
撮像装置。
【発明の詳細な説明】
【技術分野】
【０００１】
本発明は、撮像レンズから入射した光量を調整するための光量調整装置を備えるレンズ鏡筒及び撮像装置に関する。
【背景技術】
【０００２】
デジタルビデオカメラやデジタルスチルカメラ等の撮像装置は、従来から、撮像レンズによって被写体像を結像させ、撮像レンズの後部に配置されたＣＣＤ（Charge Coupled Device Image Sensor）イメージセンサやＣＭＯＳ（Complementary Metal Oxide Semiconductor ）イメージセンサ等の撮像素子によって被写体像を撮像している。そして、撮像レンズからの入射光に対し、撮像素子の有効撮像範囲に到達する光量を調整するために、光量調整装置を備えるようにしたレンズ鏡筒が知られている。
【０００３】
ここで、撮像レンズが撮影時に繰り出し、非撮影時に沈胴するレンズ鏡筒において、沈胴させたときの撮像レンズの光軸方向の一部が光量調整装置の開口に入り込むようにすることで、レンズ鏡筒の光軸方向の小型化を可能とする技術が知られている。具体的には、光量調整装置の開口を開閉する絞り羽根やシャッタ羽根が開いているときに、開口内に撮像レンズが出入りできるようにすることで、光軸方向の長さを短くした技術である。
【０００４】
図１８は、このような従来例のレンズ鏡筒１２０，２２０における光量調整装置１５０，２５０の周辺部を示す断面図である。
図１８の上図に示すレンズ鏡筒１２０は、レンズ移動枠１３４にレンズ群１２２が保持されており、レンズ群１２２は、レンズ移動枠１３４の移動によって光軸１２０ａ方向に移動可能となっている。また、光軸１２０ａ方向の後方（図１８では、レンズ移動枠１３４の下側）に光量調整装置１５０が配置されている。この光量調整装置１５０は、シャッタ羽根及び絞り羽根を有しており、開口１５０ａを開閉することによって光量を調整する。そして、開口１５０ａを通過して有効な撮像範囲に結像する光束の開口１５０ａの通過断面を有効光束範囲１２２ｂとしたとき、開口１５０ａは、有効光束範囲１２２ｂよりも大きくなるように設定されている。
【０００５】
一方、図１８の下図に示すレンズ鏡筒２２０は、レンズ鏡筒１２０に対し、光軸１２０ａ方向の小型化を可能としている。具体的には、光量調整装置２５０の開口２５０ａをレンズ外径１２２ａよりも大きくし、レンズ移動枠２３４によって移動するレンズ群１２２の一部が開口２５０ａ内に出入りできるようにしている。そのため、レンズ鏡筒２２０の沈胴時における光軸１２０ａ方向の長さＬ２は、レンズ鏡筒１２０の沈胴時における光軸２０ａ方向の長さＬ１よりも短くすることができる。
【先行技術文献】
【特許文献】
【０００６】
【特許文献１】特開２００３−６６３１１号公報
【発明の概要】
【発明が解決しようとする課題】
【０００７】
しかし、上記の特許文献１の技術（図１８の下図に示すレンズ鏡筒２２０）では、光量調整装置２５０の開口２５０ａを大きく設定する必要があるため、レンズ鏡筒２２０の径方向が大型化してしまう。この点に関して詳述すると、図１８の上図に示すレンズ鏡筒１２０の場合には、光量調整装置１５０の開口１５０ａは、レンズ群１２２の有効光束範囲１２２ｂよりも少し大きければよい。ところが、図１８の下図に示すレンズ鏡筒２２０のように、光量調整装置２５０の開口２５０ａ内にレンズ群１２２が出入りできるようにするためには、有効光束範囲１２２ｂよりも大きいだけでなく、レンズ外径１２２ａよりも大きくしなければならない。そのため、開口２５０ａを閉じる絞り羽根を大型化する必要があるので、レンズ鏡筒２２０の外径Ｄ２は、レンズ鏡筒１２０の外径Ｄ１よりも大きくなってしまう。
【０００８】
このように、光量調整装置２５０の開口２５０ａ内にレンズ群１２２の一部を収納する構成は、レンズ鏡筒２２０の光軸１２０ａ方向の長さＬ２を短くできるメリットがある一方で、外径Ｄ２が大きくなるというデメリットがある。また、大きな開口２５０ａを開閉するために、絞り羽根を大型化するのではなく、絞り羽根の構成枚数を多くすることも考えられるが、そうすると羽根構成の複雑化や高コスト化の問題が生じる。
【０００９】
したがって、本発明が解決しようとする課題は、高コスト化を回避しつつ、レンズ鏡筒の光軸方向及び径方向の小型化を実現することである。
【課題を解決するための手段】
【００１０】
本発明は、以下の解決手段により、上述の課題を解決する。
請求項１に記載の発明は、撮像光学系の少なくとも一部をなす光学レンズと、前記光学レンズを保持する保持枠と、結像平面上の有効な撮像範囲に到達する光の量を調整する光量調整装置とを備え、前記光量調整装置は、前記光学レンズと光軸方向に相対的に移動可能に支持され、前記光学レンズに入射した光束を通過させるとともに、前記光学レンズの少なくとも一部が光軸方向に出入り可能に形成された開口と、前記開口に侵入する閉じ位置と前記開口から退避する開き位置との間を移動可能に設けられた光量調整羽根とを有し、前記光量調整羽根は、前記開口を通過して結像平面上の有効な撮像範囲に結像する光束の前記開口の通過断面を有効光束範囲としたとき、前記閉じ位置において、有効光束範囲の外側に前記開口の一部を残すように構成され、前記開き位置において、前記開口の内側に前記光学レンズの少なくとも一部が光軸方向に出入り可能となるように構成されているレンズ鏡筒である。
【００１１】
また、請求項５に記載の発明は、請求項１に記載の発明と同様の光学レンズ、保持枠、及び光量調整装置を備える撮像装置である。
【００１２】
（作用）
上記の請求項１及び請求項５に記載の発明は、光量調整羽根の開き位置において、開口の内側に光学レンズの少なくとも一部が光軸方向に出入り可能となるように構成されている。そのため、光学レンズを開口内まで移動させることができる。また、光量調整羽根は、閉じ位置において、有効光束範囲の外側に開口の一部を残すように構成されている。これにより、開口に対する光量調整羽根の大きさを小さくすることができる。
【発明の効果】
【００１３】
本発明によれば、光学レンズを開口内まで移動させることができるので、レンズ鏡筒の光軸方向の小型化が可能となる。また、開口に対する光量調整羽根の大きさを小さくすることができるので、レンズ鏡筒の径方向の小型化も可能となる。
【図面の簡単な説明】
【００１４】
【図１】本発明の撮像装置の一実施形態としての、デジタルスチルカメラの構成を示す正面図である。
【図２】本発明のレンズ鏡筒の一実施形態としての、デジタルスチルカメラ用のレンズ鏡筒の主要部を示す分解斜視図である。
【図３】図１に示すデジタルスチルカメラのレンズ鏡筒を示す斜視図及び断面図であり、テレ撮影時の繰出し状態を示す。
【図４】図１に示すデジタルスチルカメラのレンズ鏡筒を示す斜視図及び断面図であり、ワイド撮影時の繰出し状態を示す。
【図５】図１に示すデジタルスチルカメラのレンズ鏡筒を示す斜視図及び断面図であり、非撮影時の沈胴状態を示す。
【図６】図１に示すデジタルスチルカメラのレンズ鏡筒における光量調整装置の周辺部を示す断面図である。
【図７】図６に示す光量調整装置の正面図及び背面図である。
【図８】図６に示す光量調整装置の分解斜視図である。
【図９】本発明のレンズ鏡筒の一実施形態としての、デジタルスチルカメラ用のレンズ鏡筒における光量調整装置（第１の実施の形態）の主要部を示す正面図であり、絞り羽根（開）及びシャッタ羽根（開）の状態を示す。
【図１０】本発明のレンズ鏡筒の一実施形態としての、デジタルスチルカメラ用のレンズ鏡筒における光量調整装置（第１の実施の形態）の主要部を示す正面図であり、絞り羽根（開）及びシャッタ羽根（閉）の状態を示す。
【図１１】本発明のレンズ鏡筒の一実施形態としての、デジタルスチルカメラ用のレンズ鏡筒における光量調整装置（第１の実施の形態）の主要部を示す正面図であり、絞り羽根（閉）及びシャッタ羽根（開）の状態を示す。
【図１２】参考例の光量調整装置の主要部を示す正面図であり、絞り羽根（閉）及びシャッタ羽根（開）の状態を示す。
【図１３】参考例の光量調整装置の主要部を示す正面図であり、絞り羽根（開）及びシャッタ羽根（開）の状態を示す。
【図１４】本発明のレンズ鏡筒の一実施形態としての、デジタルスチルカメラ用のレンズ鏡筒における光量調整装置（第１の実施の形態）の主要部を示す正面図であり、絞り羽根（閉）及びシャッタ羽根（閉）の状態を示す。
【図１５】本発明のレンズ鏡筒の一実施形態としての、デジタルスチルカメラ用のレンズ鏡筒における光量調整装置の主要部（第２の実施の形態）を示す正面図であり、絞り羽根（閉）及びシャッタ羽根（開）の状態を示す。
【図１６】本発明のレンズ鏡筒の一実施形態としての、デジタルスチルカメラ用のレンズ鏡筒における光量調整装置の主要部（第３の実施の形態）を示す正面図であり、絞り羽根（開）及びシャッタ羽根（開）の状態を示す。
【図１７】本発明のレンズ鏡筒の一実施形態としての、デジタルスチルカメラ用のレンズ鏡筒における光量調整装置の周辺部（第４の実施の形態）を示す断面図である。
【図１８】従来例のレンズ鏡筒における光量調整装置の周辺部を示す断面図である。
【発明を実施するための形態】
【００１５】
以下、図面を参照して、本発明を実施するための形態について説明する。
ここで、本発明における撮像装置は、以下の実施の形態では、デジタルスチルカメラ１０であるとする。また、本発明におけるレンズ鏡筒は、以下の実施の形態では、デジタルスチルカメラ１０用のレンズ鏡筒２０であるとする。
なお、説明は、以下の順序で行う
１．第１の実施の形態（レンズ鏡筒：光量調整装置の構成例）
２．第２の実施の形態（レンズ鏡筒：光量調整装置の他の構成例）
３．第３の実施の形態（レンズ鏡筒：光量調整装置のさらに他の構成例）
４．第４の実施の形態（レンズ鏡筒：光量調整装置のさらに他の構成例）
【００１６】
［撮像装置の外観例］
図１は、本発明の撮像装置の一実施形態としての、デジタルスチルカメラ１０の構成を示す正面図である。
図１に示すように、デジタルスチルカメラ１０は、外装を構成する直方体状のボディ１１を備えている。また、ボディ１１の右寄りには、レンズ鏡筒２０が組み込まれている。そして、図１に示す非撮影時は、レンズ鏡筒２０の前面側がバリアユニット４０によって覆われている。
なお、図１に示すデジタルスチルカメラ１０において、左右とは、図１に示す前面側から見た左右を言うものとする。
【００１７】
また、レンズ鏡筒２０の左上には、例えばストロボ発光ユニット１２が内蔵され、ストロボ発光ユニット１２の左隣には、例えばスイッチユニット１３が内蔵されている。さらにまた、レンズ鏡筒２０の右側には、例えばＡＦ（Auto Focus）補助光ユニット１４が内蔵され、レンズ鏡筒２０の左側には、例えばバッテリ１５が内蔵されている。さらに、レンズ鏡筒２０の右下には、例えばコンデンサマイク１６が内蔵されている。
【００１８】
［レンズ鏡筒の構成例］
図２は、本発明のレンズ鏡筒の一実施形態としての、デジタルスチルカメラ用のレンズ鏡筒２０の主要部を示す分解斜視図である。
図２に示すように、レンズ鏡筒２０は、被写体側から順に、化粧リング３１、バリアユニット４０、第１レンズ群２１を保持する第１レンズ枠３２、第１レンズ枠３２を移動させる第１移動枠３３、第２レンズ群２２（本発明における光学レンズに相当）を保持しつつ移動させる第２移動枠３４（本発明における保持枠に相当）、直進案内環３５、回転環３６、固定環３７、及び後部鏡筒３８等を備えている。
なお、図２では、説明の便宜のため、光量調整装置等の図示を省略している。
【００１９】
ここで、化粧リング３１は、第１移動枠３３に固定されてレンズ鏡筒２０の体裁を整えるとともに、バリアカバー４１、バリア羽根４２、バリア駆動バネ４３、及びバリア駆動部材４４からなるバリアユニット４０を保護する。化粧リング３１の固定は、第１移動枠３３に固定されたバリアカバー４１の前面に剥離紙付きの両面テープを貼り付け、剥離紙を剥がした後、化粧リング３１を第１移動枠３３に被せることによって行う。そして、両面テープの粘着力により、バリアカバー４１を介して第１移動枠３３に強固に固定している。
なお、化粧リング３１の材質としては、アルミニウム合金やステンレス鋼等の各種の金属が好適であるが、エンジニアリングプラスチックを用いることもできる。
【００２０】
バリアユニット４０は、非撮影時に、撮影開口である光路を閉じて撮像光学系を保護する。具体的には、第１レンズ群２１の前部に配置されたバリアカバー４１に、第１レンズ群２１等に光を入射させるための撮影用の開口４１ａが形成されている。そして、バリアカバー４１とバリア羽根４２との間に取り付けられたバリア駆動バネ４３と、バリア駆動部材４４とにより、バリア羽根４２の開閉機構が構成される。
【００２１】
このようなバリアユニット４０において、バリア駆動部材４４は、第１レンズ枠３２（第１レンズ群２１）の撮影位置と収納位置との切替えに応じてバリア羽根４２を開閉駆動する。例えば、第１レンズ枠３２を撮影位置にすると、バリア駆動部材４４が矢印Ｂ方向に回転してバリア羽根４２を開き、バリアカバー４１の開口４１ａを開放して第１レンズ群２１等に光を入射させる。逆に、第１レンズ枠３２を収納位置にすると、バリア駆動部材４４が矢印Ａ方向に回転してバリア羽根４２を閉じ、バリアカバー４１の開口４１ａを閉鎖して第１レンズ群２１を保護する。
【００２２】
第１レンズ群２１は、第１レンズ枠３２に取り付けられており、第１レンズ枠３２は、第１移動枠３３に保持されている。また、第２レンズ群２２は、第１レンズ群２１よりも光軸２０ａ方向後方に配置され、第２移動枠３４に保持されている。そして、第１移動枠３３及び第２移動枠３４には、それぞれ３箇所ずつカムピンが設けられており、光軸２０ａ周りに回転可能な回転環３６の内周側に設けられた３箇所のカム溝とそれぞれ係合するようになっている。さらに、第１移動枠３３及び第２移動枠３４は、回転環３６の回転によって同時に連れ回らないように、直進案内環３５の直進溝とも係合している。
【００２３】
ここで、回転環３６と直進案内環３５とは、バヨネット嵌合することにより、回転環３６の回転に対し、直進案内環３５が規制されることなく直進移動可能となっている。さらに、回転環３６の光軸２０ａ方向への移動に対しては、直進案内環３５も一体となって移動する。具体的には、回転環３６にカムピンが３箇所設けられており、固定環３７の内周側に設けられた３箇所のカム溝とそれぞれ嵌合する。そして、回転環３６が固定環３７に対して回転するに伴って、回転環３６は、固定環３７のカム溝の軌跡に沿って光軸２０ａ方向に移動する。また、直進案内環３５は、固定環３７と嵌合するための凸部が５箇所に設けられており、その５箇所の凸部と固定環３７に設けられた５箇所の直進溝とがそれぞれ嵌合する。そのため、直進案内環３５は、固定環３７に対して光軸２０ａ方向への移動のみが可能となり、回転方向への移動が規制されている。
【００２４】
したがって、回転環３６を回転させると、回転環３６は、固定環３７に対して回転しながら光軸２０ａ方向に移動する。また、直進案内環３５は、回転せずに回転環３６と一体となって光軸２０ａ方向に移動する。さらにまた、第１移動枠３３及び第２移動枠３４は、回転せずに回転環３６のカム溝に沿って光軸２０ａ方向に移動する。その結果、第１移動枠３３（第１レンズ群２１）は、回転環３６の回転とその位置に応じて、光軸２０ａ方向に移動して沈胴又は繰出しする。さらに、第２移動枠３４（第２レンズ群２２）は、回転環３６の回転とその位置に応じて、光軸２０ａ方向に移動してズーミング（ワイド撮影又はテレ撮影）を実現する。
なお、回転環３６を一方向に回転させると、最初に第１移動枠３３が沈胴位置から繰出し、次に第２移動枠３４が沈胴位置からワイド端を経由してテレ端まで移動する。逆に、回転環３６を反対方向に回転させると、最初に第２移動枠３４がテレ端からワイド端を経由して沈胴し、次に第１移動枠３３が繰出し位置から沈胴する。
【００２５】
また、固定環３７は、後部鏡筒３８に保持され、後部鏡筒３８には、カム面３８ａが形成されている。このカム面３８ａは、バリア駆動部材４４に形成されたカム面４４ａに当接する。そして、第１移動枠３３の移動によって後部鏡筒３８との間隔が狭まると、カム面３８ａとカム面４４ａとの当接により、バリア駆動バネ４３を漸次的にチャージしながらバリア駆動部材４４が矢印Ａ方向に回転し、バリア羽根４２を閉じる。逆に、第１移動枠３３の移動によって後部鏡筒３８との間隔が広がると、カム面３８ａとカム面４４ａとが離れるので、バリア駆動バネ４３のチャージが漸次的に開放されてバリア駆動部材４４が矢印Ｂ方向に回転し、バリア羽根４２を開く。
【００２６】
このように、回転環３６の回転とその位置に応じて第１移動枠３３（第１レンズ群２１）が繰出し又は沈胴し、バリア羽根４２を開閉する。また、回転環３６の回転とその位置に応じて第２移動枠３４（第２レンズ群２２）がテレ方向又はワイド方向に移動し、ズーミング動作が行われる。そのため、回転環３６の外周面には、歯車列が形成されており、固定環３７と後部鏡筒３８との間に固定された駆動モータ（図示せず）の駆動により、回転環３６が回転するようになっている。
【００２７】
［レンズ鏡筒の外観例］
図３は、図１に示すデジタルスチルカメラ１０のレンズ鏡筒２０を示す斜視図及び断面図であり、テレ撮影時の繰出し状態を示す。
また、図４は、図１に示すデジタルスチルカメラ１０のレンズ鏡筒２０を示す斜視図及び断面図であり、ワイド撮影時の繰出し状態を示す。
さらにまた、図５は、図１に示すデジタルスチルカメラ１０のレンズ鏡筒２０を示す斜視図及び断面図であり、非撮影時の沈胴状態を示す。
さらに、図６は、図１に示すデジタルスチルカメラ１０のレンズ鏡筒２０における光量調整装置５０の周辺部を示す断面図である。
図３から図５に示すように、レンズ鏡筒２０は、沈胴式となっている。そして、レンズ鏡筒２０の撮影光学系は、被写体側から順に配置された第１レンズ群２１、第２レンズ群２２、光量調整装置５０、第３レンズ群２３、及び撮像素子２４によって構成される。
なお、撮像素子２４としては、例えば、ＣＣＤイメージセンサやＣＭＯＳイメージセンサ等が使用される。
【００２８】
ここで、光軸２０ａ方向に固定された撮像素子２４に対し、図３及び図４に示す撮影時には、第１レンズ群２１が繰り出される。また、第２レンズ群２２は、第２移動枠３４に保持されており、光軸２０ａ方向に移動する。第１レンズ群２１及び第２レンズ群２２（第２移動枠３４）を光軸２０ａ方向に所定量移動させることにより、光学系のズーミング動作が行われる。さらにまた、第３レンズ群２３を光軸２０ａ方向に所定量移動させることにより、光学系のフォーカシング動作が行われる。そして、第１レンズ群２１、第２レンズ群２２、及び第３レンズ群２３により、撮像素子２４の有効な撮像範囲に入射光が結像する。
【００２９】
また、光量調整装置５０は、シャッタ機能及びアイリス機能を有しており、開口５０ａ（図６参照）を開閉することによって第２レンズ群２２から撮像素子２４の有効な撮像範囲まで到達する光量を調整する。そのため、開口５０ａを通過して有効な撮像範囲に結像する光束の開口５０ａの通過断面を有効光束範囲２２ｂ（図６参照）としたとき、開口５０ａは、有効光束範囲２２ｂよりも大きくなるように設定されている。
【００３０】
さらにまた、開口５０ａは、図６に示すように、第２レンズ群２２のレンズ外径２２ａよりも大きく形成されている。具体的には、開口５０ａは、第２レンズ群２２のレンズ外径２２ａに対し、所定のクリアランスを保つように設定されている。これにより、第２レンズ群２２に入射した光束が開口５０ａを通過できるだけでなく、第２移動枠３４によって移動する第２レンズ群２２の光軸２０ａ方向が開口５０ａ内に出入りできるようになる（図６の下図参照）。
【００３１】
さらに、光量調整装置５０は、第２移動枠３４に対し、光軸２０ａ方向に相対移動可能に保持されるとともに、バネ２５によって第２レンズ群２２から離れる方向に付勢されている。そして、図３、図４、及び図６の上図に示す撮影時には、バネ２５の付勢によって光量調整装置５０と第２レンズ群２２とが光軸２０ａ方向に離れるように相対移動し、第２レンズ群２２は、光量調整装置５０の開口５０ａから退避する。
【００３２】
一方、図５及び図６の下図に示す非撮影時には、光量調整装置５０は、後部鏡筒３８によりバネ２５の付勢に打ち勝って第２レンズ群２２側に押圧され、光量調整装置５０の開口５０ａに第２レンズ群２２の一部が収納される。そのため、レンズ鏡筒２０の沈胴時における光軸２０ａ方向の長さを短くすることができる。また、第１レンズ群２１の前面側がバリアユニット４０によって保護される。
なお、第１レンズ群２１及び第２レンズ群２２の光軸２０ａ方向の移動は、カム繰出し機構（図６に示すカムピン３９等によって構成される機構）と駆動モータ（図示せず）の制御によって実現される。
【００３３】
図７は、図６に示す光量調整装置５０の正面図及び背面図である。
また、図８は、図６に示す光量調整装置５０の分解斜視図である。
図７及び図８に示すように、光量調整装置５０は、光軸２０ａ方向に対向するように配置された羽根押え５１と地板５２との間に、絞り羽根５３（本発明における光量調整羽根に相当）及びシャッタ羽根５５（２枚）が挟み込まれた構成となっている。
【００３４】
ここで、絞り羽根５３には、通過する光を所定量だけ吸収又は反射させるＮＤフィルタ５４が固定されている。また、シャッタ羽根５５は、２枚の薄い板から構成されている。さらにまた、羽根押え５１には、第２レンズ群２２（図６参照）に入射した光束を通過させるための開口５０ａが形成されている。さらに、地板５２には、絞り羽根５３を回転可能に支持する回転中心軸５３ａと、シャッタ羽根５５を回転可能に支持する回転中心軸５５ａとが設けられている。そして、絞り羽根５３及びシャッタ羽根５５（２枚）が地板５２に回転可能に支持され、開口５０ａを閉じる閉じ位置と開口５０ａを開く開き位置との間を移動可能となっている。
【００３５】
さらに、地板５２には、駆動手段押え５８によって絞り羽根駆動手段５６及びシャッタ羽根駆動手段５７が固定される。そして、絞り羽根駆動手段５６の絞り羽根駆動ピン５６ａが絞り羽根５３の絞り羽根駆動穴５３ｂに挿入され、シャッタ羽根駆動手段５７のシャッタ羽根駆動ピン５７ａが２枚のシャッタ羽根５５のシャッタ羽根駆動穴５５ｂに挿入される。
【００３６】
したがって、絞り羽根駆動手段５６を駆動することにより、絞り羽根５３は、開口５０ａを閉じる閉じ位置と開口５０ａを開く開き位置との間を移動するようになり、開口５０ａを開閉することで、光学系の通過光量の調整が可能となる。また、シャッタ羽根駆動手段５７を駆動することにより、２枚のシャッタ羽根５５は、それぞれが開口５０ａを閉じる閉じ位置と開口５０ａを開く開き位置との間を移動するようになる。そして、開口５０ａを２枚のシャッタ羽根５５で開閉することで、光学系の光線のすべてを遮断又は通過に切り替える。
【００３７】
＜１．第１の実施の形態＞
［レンズ鏡筒における光量調整装置の構成例］
図９は、本発明のレンズ鏡筒の一実施形態としての、デジタルスチルカメラ用のレンズ鏡筒２０における光量調整装置５０（第１の実施の形態）の主要部を示す正面図であり、絞り羽根５３（開）及びシャッタ羽根５５（開）の状態を示す。
また、図１０は、本発明のレンズ鏡筒の一実施形態としての、デジタルスチルカメラ用のレンズ鏡筒２０における光量調整装置５０（第１の実施の形態）の主要部を示す正面図であり、絞り羽根５３（開）及びシャッタ羽根５５（閉）の状態を示す。
図９に示すように、絞り羽根５３が開口５０ａを開く開き位置に移動し、シャッタ羽根５５も開口５０ａを開く開き位置に移動した状態では、開口５０ａが完全に開かれる。そのため、開口５０ａの内側に第２レンズ群２２（図６参照）が出入り可能となる。
【００３８】
ここで、開口５０ａは、有効光束範囲２２ｂに対して十分大きいので、図９に示す絞り羽根５３（開）及びシャッタ羽根５５（開）の状態では、撮影に必要な光束を妨げるものは何もない。また、開き位置にある絞り羽根５３の外形と開き位置にある２枚のシャッタ羽根５５の外形とにより、装置外径Ｄが決定される。
【００３９】
一方、図１０に示すように、シャッタ羽根５５が開口５０ａを閉じる閉じ位置に移動した状態では、２枚のシャッタ羽根５５によって開口５０ａの全部が閉じられる。そのため、開口５０ａがすべて覆われ、有効光束範囲２２ｂの光束が完全に遮られる。
なお、２枚のシャッタ羽根５５は、それぞれの回転中心軸５５ａを中心として逆向きに、互いに連動して回転する。
【００４０】
図１１は、本発明のレンズ鏡筒の一実施形態としての、デジタルスチルカメラ用のレンズ鏡筒２０における光量調整装置５０（第１の実施の形態）の主要部を示す正面図であり、絞り羽根５３（閉）及びシャッタ羽根５５（開）の状態を示す。
また、図１２は、参考例の光量調整装置８０の主要部を示す正面図であり、絞り羽根８１（閉）及びシャッタ羽根５５（開）の状態を示す。
さらにまた、図１３は、参考例の光量調整装置８０の主要部を示す正面図であり、絞り羽根８１（開）及びシャッタ羽根５５（開）の状態を示す。
図１１に示すように、絞り羽根５３が開口５０ａを閉じる閉じ位置に移動した状態では、有効光束範囲２２ｂがすべて覆われる。そして、有効光束範囲２２ｂに重なって位置するＮＤフィルタ５４によって光量が調整される。
【００４１】
ここで、絞り羽根５３の外形は、絞り羽根５３が閉じ位置の状態で、有効光束範囲２２ｂに対して光軸より外側に設定されているとともに、開口５０ａよりも内側に設定されている。言い換えれば、絞り羽根５３は、閉じ位置において、有効光束範囲２２ｂをすべて覆うが、有効光束範囲２２ｂの外側に開口５０ａの一部を残すように（絞り羽根５３の外形と開口５０ａとの間に隙間５０ｂが形成されるように）構成されている。
【００４２】
このように、絞り羽根５３の外形を開口５０ａよりも内側に設定するのは、光量調整装置５０の外径を小さくするためである。この点について詳述すると、図１２に示す参考例の光量調整装置８０のように、絞り羽根８１の外形を開口５０ａよりも外側に設定した場合には、絞り羽根８１の閉じ位置において、開口５０ａが開閉部８１ａによってすべて覆われる。
【００４３】
しかし、図１３に示すように、開口５０ａを開く開き位置に絞り羽根８１を移動させたとき、参考例の光量調整装置８０では、第１の実施の形態である光量調整装置５０（図９参照）の装置外径Ｄから絞り羽根８１の開閉部８１ａが外側にはみ出してしまう。その結果、絞り羽根８１の外形を開口５０ａよりも外側に設定した参考例の光量調整装置８０（図１２及び図１３参照）は、絞り羽根５３の外形を開口５０ａよりも内側に設定した第１の実施の形態の光量調整装置５０（図１１及び図９参照）よりも大型化する。そのため、第１の実施の形態である光量調整装置５０では、図１１に示すように、絞り羽根５３の外形を開口５０ａよりも内側に設定し、有効光束範囲２２ｂの外側に開口５０ａの一部を残す（隙間５０ｂが形成される）ようにすることで、径方向を小型化している。
【００４４】
また、参考例の光量調整装置８０では、図１３に示すように、絞り羽根８１の開き位置でも開口５０ａ内に開閉部８１ａが残ってしまう。そのため、絞り羽根８１を開き位置に移動させても、開口５０ａ内で、絞り羽根８１と第２レンズ群２２（図６参照）とが干渉してしまう不具合が発生し、第２レンズ群２２の収納ができなくなる。その結果、図６の下図に示すようなレンズ鏡筒２０の光軸２０ａ方向の小型化が困難となる。
【００４５】
したがって、第１の実施の形態の光量調整装置５０は、絞り羽根５３の閉じ位置で、開口５０ａの一部を残す（隙間５０ｂが形成される）外形とすることにより、径方向及び光軸方向の小型化を図っている。そして、隙間５０ｂは、シャッタ羽根５５によって覆うことができるようにしている。
【００４６】
図１４は、本発明のレンズ鏡筒の一実施形態としての、デジタルスチルカメラ用のレンズ鏡筒２０における光量調整装置５０（第１の実施の形態）の主要部を示す正面図であり、絞り羽根５３（閉）及びシャッタ羽根５５（閉）の状態を示す。
図１４に示すように、シャッタ羽根５５の外形は、開口５０ａを閉じる閉じ位置に移動した状態で、開口５０ａよりも大きく設定されている。
【００４７】
したがって、シャッタ羽根５５を閉じ位置に移動させることにより、開口５０ａがすべて覆われる。その結果、有効光束範囲２２ｂの光束が完全に遮られるだけでなく、絞り羽根５３を閉じても残る隙間５０ｂ（図１１参照）まで覆うことができ、隙間５０ｂから漏れるわずかな光も遮ることができる。
【００４８】
＜２．第２の実施の形態＞
［レンズ鏡筒における光量調整装置の他の構成例］
図１５は、本発明のレンズ鏡筒の一実施形態としての、デジタルスチルカメラ用のレンズ鏡筒２０における光量調整装置６０の主要部（第２の実施の形態）を示す正面図であり、絞り羽根６１（閉）及びシャッタ羽根５５（開）の状態を示す。
図１５に示す第２の実施の形態の光量調整装置６０は、図１１に示す第１の実施の形態の光量調整装置５０における絞り羽根５３対し、大きさの異なる絞り穴６１ａ（本発明における貫通穴に相当）が形成された絞り羽根６１を使用した場合の形態である。
【００４９】
図１１に示す第１の実施の形態の光量調整装置５０では、絞り羽根５３の絞り穴（図示せず）が有効光束範囲２２ｂよりも大きく形成されている。そして、絞り穴を塞ぐように取り付けられたＮＤフィルタ５４のみにより、有効光束範囲２２ｂを通る光量の調整を実現している。
【００５０】
一方、図１５に示す第２の実施の形態の光量調整装置６０では、絞り羽根６１の絞り穴６１ａが有効光束範囲２２ｂよりも小さく形成されている。そのため、ＮＤフィルタ５４を使用しなくても、絞り羽根６１を閉じ位置に移動させることにより、有効光束範囲２２ｂを通る光量が絞り穴６１ａによって調整される（絞られる）こととなる。ただし、図１５の下図に示すように、ＮＤフィルタ５４を取り付けて絞り穴６１ａを塞ぐように構成することもできる。
【００５１】
＜３．第３の実施の形態＞
［レンズ鏡筒における光量調整装置のさらに他の構成例］
図１６は、本発明のレンズ鏡筒の一実施形態としての、デジタルスチルカメラ用のレンズ鏡筒２０における光量調整装置７０の主要部（第３の実施の形態）を示す正面図であり、絞り羽根５３（開）及びシャッタ羽根５５（開）の状態を示す。
図１６に示す第３の実施の形態の光量調整装置７０は、図９に示す第１の実施の形態の光量調整装置５０の開口５０ａに対し、大きさの異なる開口７０ａを形成した場合の形態である。
【００５２】
図９に示す第１の実施の形態の光量調整装置５０では、開口５０ａに出入りする第２レンズ群２２（図６参照）が光量調整装置５０に対して光軸２０ａに垂直なＸＹ方向（互いに直交する２方向）に移動しない構成となっている。そのため、開口５０ａは、第２レンズ群２２のレンズ外径２２ａ（図６参照）に対し、開口５０ａ内に出入り可能な一定のクリアランスを保つように設定されている。
【００５３】
一方、図１６に示す第３の実施の形態の光量調整装置７０は、光量調整装置５０（図９参照）に対し、像ぶれ補正レンズ２６がＸＹ方向に移動し、手ぶれ防止機能を実現するようにした場合の構成である。具体的には、像ぶれ補正レンズ２６は、像ぶれ補正レンズ２６を保持する移動枠（図示せず）に対し、光軸に垂直な平面上の互いに直交する２方向（ＸＹ方向）に移動可能に保持されている。そのため、手ぶれの方向と逆方向に像ぶれ補正レンズ２６を移動させることにより、手ぶれ防止機能が実現されることとなる。
【００５４】
したがって、開口７０ａは、像ぶれ補正レンズ２６のＸＹ方向への全ストローク動作時の包絡線に対し、所定のクリアランスを保つように設定されている。そのため、像ぶれ補正レンズ２６のＸＹ方向の移動位置にかかわらず、移動枠（図示せず）によって移動する像ぶれ補正レンズ２６の光軸方向が開口７０ａに出入り可能となる。
【００５５】
ここで、開口７０ａと像ぶれ補正レンズ２６とのクリアランスは、図９に示す第１の実施の形態の光量調整装置５０の場合と同じ（必要最小限）に設定されている。そのため、開口７０ａは、像ぶれ補正レンズ２６のＸＹ方向への移動量だけ開口５０ａよりも大きく形成する必要がある。その結果、光量調整装置７０の装置外径Ｄが大きくなることが懸念される。
【００５６】
しかし、図１６に示す第３の実施の形態の光量調整装置７０も、絞り羽根５３の閉じ位で、開口７０ａの一部を残す（図１１に示す隙間５０ｂと同様の隙間が形成される）外形となっているので、径方向の小型化が可能である。そのため、像ぶれ補正レンズ２６を開口７０ａ内に出入りさせる光量調整装置７０は、手ぶれの防止を実現しつつ、手ぶれ防止機能の付加に伴うさらなる大型化を防ぐことができる。
【００５７】
＜４．第４の実施の形態＞
［レンズ鏡筒における光量調整装置のさらに他の構成例］
図１７は、本発明のレンズ鏡筒の一実施形態としての、デジタルスチルカメラ用のレンズ鏡筒３２０における光量調整装置９０の周辺部（第４の実施の形態）を示す断面図である。
図１７に示す第４の実施の形態は、光量調整装置９０にカムピン９１を設けている点が他の実施形態と異なる。
【００５８】
具体的には、図６に示す第２レンズ群２２の光軸２０ａ方向の移動は、第２レンズ群２２を保持する第２移動枠３４に設けられたカムピン３９と回転環３６（図２参照）に設けられたカム溝とを係合させ、回転環３６と第２移動枠３４との相互回転により実現されている。
【００５９】
しかし、図１７に示す第４の実施の形態のように、第２移動枠３４ではなく、光量調整装置９０にカムピン９１を設けてもよい。この場合、第２レンズ群２２は、光量調整装置９０の開口９０ａから退避し、光量調整装置９０と一体となって光軸２０ａ方向に移動する。すなわち、第２レンズ群２２の光軸２０ａ方向の移動は、光量調整装置９０に設けられたカムピン９１と回転環３６（図２参照）に設けられたカム溝とを係合させ、回転環３６と光量調製装置９０との相互回転により実現されている。
【００６０】
以上、本発明の実施形態について説明したが、本発明は、上述した実施形態に限定されることなく、以下のような種々の変形が可能である。例えば、
（１）実施形態では、撮像装置として、デジタルスチルカメラ１０を例に挙げている。しかし、これに限らず、デジタルビデオカメラやカメラ付き携帯電話等の撮像装置にも広く適用可能である
【００６１】
（２）実施形態では、回転環３６の回転によって第１移動枠３３及び第２移動枠３４が移動するようになっており、回転環３６は、光軸２０ａ周りに回転するとともに、光軸２０ａ方向に移動する。しかし、回転環の回転中心の軸線は、光軸と一致しなくてもよく、回転環は、光軸方向に移動しなくてもよい。
【００６２】
（３）実施形態では、羽根押え５１に開口５０ａが形成され、この開口５０ａに第２レンズ群２２が出入りするようになっているが、開口は、羽根押え５１、地板５２、開き位置に位置する２枚のシャッタ羽根５５、及び絞り羽根５３の内周形状の組合せによって決定されるようにしてもよい。例えば、光軸２０ａ方向から見たときの開口の内周は、羽根押えの内周形状とシャッタ羽根の内周形状の一部とにより構成されている形態で、その開口内に光学レンズが出入りする。
【００６３】
（４）実施形態では、閉じ位置に位置する２枚のシャッタ羽根５５の外形を開口５０ａよりも大きくし、隙間５０ｂを完全に覆うようにしている。しかし、シャッタ羽根は、有効光束範囲２２ｂよりも大きいが、開口５０ａよりも小さい外形として、隙間５０ｂを残すようにしてもよい。
【００６４】
（５）実施形態では、第２レンズ群２２と光量調整装置５０の光軸２０ａ方向の相対移動は、バネ２５の付勢と、光量調整装置５０の後部鏡筒３８による押圧とによって実現されている。しかし、第２レンズ群２２を保持する第２移動枠３４と、光量調整装置５０とに、それぞれ回転環３６に設けられた軌跡の異なるカム溝に係合するカムピンを形成し、回転環３６との相互回転によって第２レンズ群２２と光量調整装置５０の光軸方向の相対移動を実現してもよい。また、モータなどのアクチュエータとその制御手段とを設けて第２レンズ群２２と光量調整装置５０の光軸方向の相対移動を実現してもよい。
【００６５】
（６）実施形態では、光量調整装置５０は、第２レンズ群２２の撮像素子２４側に位置していて、第２レンズ群２２と光量調整装置５０の光軸２０ａ方向の相対移動は、バネ２５の付勢と、光量調整装置５０の後部鏡筒３８による押圧とによって実現されている。しかし、光量調整装置５０は、第２レンズ群２２の被写体側に位置していてもよい。この場合においては、第２レンズ群２２と光量調整装置５０の光軸方向の相対移動は、バネ２５の付勢と、光量調整装置５０の第１移動枠３３などの第２レンズ群２２より被写体側にある移動部材による押圧によって実現することができる。前述のように、第２レンズ群２２を保持する第２移動枠３４と、光量調整装置５０とに、それぞれ回転環３６に設けられた軌跡の異なるカム溝に係合するカムピンを形成し、回転環３６との相互回転によって第２レンズ群２２と光量調整装置５０の光軸方向の相対移動を実現してもよい。また、モータなどのアクチュエータとその制御手段とを設けて第２レンズ群２２と光量調整装置５０の光軸方向の相対移動を実現してもよい。
【００６６】
（７）実施形態では、光量調整装置５０の開口５０ａを閉じるシャッタ羽根５５は２枚で構成されているが、１枚または３枚以上で構成されていてもよい。
【００６７】
（８）実施の形態の光量調整装置５０では、絞り羽根５３の絞り穴（図示せず）が有効光束範囲２２ｂよりも大きく形成され、絞り穴を塞ぐようにＮＤフィルタ５４が取り付けられていて、ＮＤフィルタ５４のみにより、有効光束範囲２２ｂを通る光量の調整を実現している。しかし、絞り羽根そのものが有効光束範囲２２ｂの少なくとも一部を内側に含む貫通穴を有さないＮＤフィルタで構成されていてもよく、この場合もＮＤフィルタによって有効光束範囲２２ｂを通る光量の調整が実現される。
【符号の説明】
【００６８】
１０  デジタルスチルカメラ（撮像装置）
２０  レンズ鏡筒
２０ａ  光軸
２１  第１レンズ群
２２  第２レンズ群（撮像レンズ）
２２ａ  レンズ外径
２２ｂ  有効光束範囲
３４  第２移動枠（保持枠）
５０  光量調整装置
５０ａ  開口
５０ｂ  隙間
５３  絞り羽根（光量調整羽根）
５５  シャッタ羽根
６０  光量調整装置
６１  絞り羽根（光量調整羽根）
６１ａ  絞り穴（貫通穴）
７０  光量調整装置
７０ａ  開口
９０  光量調整装置
９０ａ  開口
３２０  レンズ鏡筒
【図１】
2011138080.tif 000003
【図２】
2011138080.tif 000004
【図３】
2011138080.tif 000005
【図４】
2011138080.tif 000006
【図５】
2011138080.tif 000007
【図６】
2011138080.tif 000008
【図７】
2011138080.tif 000009
【図８】
2011138080.tif 000010
【図９】
2011138080.tif 000011
【図１０】
2011138080.tif 000012
【図１１】
2011138080.tif 000013
【図１２】
2011138080.tif 000014
【図１３】
2011138080.tif 000015
【図１４】
2011138080.tif 000016
【図１５】
2011138080.tif 000017
【図１６】
2011138080.tif 000018
【図１７】
2011138080.tif 000019
【図１８】
2011138080.tif 000020